(57)【要約】【課題】  ＬＥＤを使用しながら棚下の商品と前方の両方を照らすことができる照明具の提供。【解決手段】  下方及び後方が開放するシェード２と、シェード２内に下向きに光を照射するように設けたＬＥＤ照明体３とを備え、シェード２は、ＬＥＤ照明体３の前方に位置し且つ透光性を有する前面部６と、前面部６の下方に設けた反射板７とを有し、ＬＥＤ照明体の光８がシェード２の下方を照らすと共に、反射板７で反射した反射光９ａ，９ｂ，９ｃがシェードの前面部６を裏側から照らす。【選択図】      図１
2010264226.tif 000002
【特許請求の範囲】
【請求項１】
下方及び後方が開放するシェードと、シェード内に下向きに光を照射するように設けたＬＥＤ照明体とを備え、シェードは、ＬＥＤ照明体の前方に位置し且つ透光性を有する前面部と、前面部の下方に設けた反射板とを有し、ＬＥＤ照明体の光がシェードの下方を照らすと共に、反射板で反射した反射光がシェードの前面部を裏側から照らすことを特徴とする照明具。
【請求項２】
反射板は、前面部の下部より後方に連続して設けてあり、且つその先端がＬＥＤ照明体の真下の位置よりも前方に位置することを特徴とする請求項１記載の照明具。
【請求項３】
シェードの前面部にサインシート保持部を有することを特徴とする請求項１又は２記載の照明具。
【請求項４】
反射光がシェードの前面部の全体に届くように反射板の角度を設定したことを特徴とする請求項１，２又は３記載の照明具。
【請求項５】
シェードは、前面部の後方に天板部を有し、ＬＥＤ照明体を天板部の裏側に配置してあることを特徴とする請求項１，２，３又は４記載の照明具。
【請求項６】
シェードは、棚の前縁部に取付く取付部を有することを特徴とする請求項１，２，３，４又は５記載の照明具。
【請求項７】
棚本体と、棚本体に支持した棚とを備え、棚の前縁部に請求項１〜６の何れかに記載の照明具を設置したことを特徴とする商品陳列棚。
【発明の詳細な説明】
【技術分野】
【０００１】
本発明は、化粧品等を展示・販売する棚に用いられるＬＥＤを使用した照明具と、当該照明具を備えた商品陳列棚に関する。
【背景技術】
【０００２】
ドラッグストア等で化粧品を展示・販売する商品陳列棚の照明装置として特許文献１には、棚板の前縁部に照明体を取付けると共に、照明体を囲むように断面円弧状に膨出する透光性ケースを取付けたものが記載されている。透光性ケースは、後方に向けて開口しており、前面に商品の名前や価格等が記されたサインシート（表示板）を取付けるようになっている。照明体としては蛍光灯を使用しており、蛍光灯の光で前記サインシートや下段の棚板に陳列した商品が照らされる。
上記従来の照明装置は、照明体として蛍光灯を使用しており、蛍光灯は寿命が比較的短く頻繁に交換しなければならない上、消費電力が大きいためランニングコストが高くつく。さらに、蛍光灯から発せられる熱と紫外線により商品が加熱されたり商品のパッケージが色焼けしたりする不都合もある。
【０００３】
近年、ＬＥＤの明るさ等の性能が大きく向上し、ＬＥＤは蛍光灯と比べて寿命が長く消費電力も小さいといった多くの利点があるため、蛍光灯に代えてＬＥＤが用いられることが多くなっており、ＬＥＤを使用した棚下照明も本出願人により既に実用化されている（非特許文献１参照。）。しかしＬＥＤは、光の照射方向が一方向のため、上記従来の照明装置に蛍光灯の代わりに組み込んでも、前面のサインシートと棚下の商品の両方を明るく照らすのは困難であった。
また上記従来の照明装置は、照明体と透光性ケースとを別々に棚板に取付ける必要があるため、施工に手間がかかっていた。
【先行技術文献】
【特許文献】
【０００４】
【特許文献１】特開２００２−１５３３６１号公報
【非特許文献】
【０００５】
【非特許文献１】“ＬＥＤ棚下照明”、[online]、タテヤマアドバンス株式会社、[平成２１年４月１３日検索]、インターネット<URL: http://www.tateyama-advance.co.jp/cf/new/led/led.pdf>
【発明の概要】
【発明が解決しようとする課題】
【０００６】
本発明は以上に述べた実情に鑑み、ＬＥＤを使用しながら棚下の商品と前方の両方を照らすことができる照明具と、この照明具を備える商品陳列棚の提供を目的とする。
【課題を解決するための手段】
【０００７】
上記の課題を達成するために請求項１記載の発明による照明具は、下方及び後方が開放するシェードと、シェード内に下向きに光を照射するように設けたＬＥＤ照明体とを備え、シェードは、ＬＥＤ照明体の前方に位置し且つ透光性を有する前面部と、前面部の下方に設けた反射板とを有し、ＬＥＤ照明体の光がシェードの下方を照らすと共に、反射板で反射した反射光がシェードの前面部を裏側から照らすことを特徴とする。
【０００８】
請求項２記載の発明による照明具は、請求項１記載の発明の構成に加え、反射板は、前面部の下部より後方に連続して設けてあり、且つその先端がＬＥＤ照明体の真下の位置よりも前方に位置することを特徴とする。
【０００９】
請求項３記載の発明による照明具は、請求項１又は２記載の発明の構成に加え、シェードの前面部にサインシート保持部を有することを特徴とする。
【００１０】
請求項４記載の発明による照明具は、請求項１，２又は３記載の発明の構成に加え、反射光がシェードの前面部の全体に届くように反射板の角度を設定したことを特徴とする。
【００１１】
請求項５記載の発明による照明具は、請求項１，２，３又は４記載の発明の構成に加え、シェードは、前面部の後方に天板部を有し、ＬＥＤ照明体を天板部の裏側に配置してあることを特徴とする。
【００１２】
請求項６記載の発明による照明具は、請求項１，２，３，４又は５記載の発明の構成に加え、シェードは、棚の前縁部に取付く取付部を有することを特徴とする。
【００１３】
請求項７記載の発明による商品陳列棚は、棚本体と、棚本体に支持した棚とを備え、棚の前縁部に請求項１〜６の何れかに記載の照明具を設置したことを特徴とする。
【発明の効果】
【００１４】
請求項１記載の発明による照明具は、下方及び後方が開放するシェード内にＬＥＤ照明体を下向きに光を照射するように設けたことで、蛍光灯を使用する場合と比べてランニングコストを大幅に抑えることができ、しかもシェードはＬＥＤ照明体の前方に透光性を有する前面部を有すると共に、前面部の下方に反射板を設け、ＬＥＤ照明体の光がシェードの下方を照らすと共に、反射板で反射した反射光がシェードの前面部を裏側から照らすようにしたので、下方の棚に陳列した商品と前方の両方を照らすことができ、買い物客に商品を強くアピールできる。
【００１５】
請求項２記載の発明による照明具は、反射板を前面部の下部より後方に連続して設けることで、反射板を体裁よく簡易に設置することができ、しかも反射板の先端がＬＥＤ照明体の真下の位置よりも前方に位置するため、反射板がＬＥＤ照明体の光を遮るのを防いで棚下をよく照らすことができる。
【００１６】
請求項３記載の発明による照明具は、シェードの前面部にサインシート保持部を有するので、サインシートを発光させて宣伝効果を促進し、買い物客の購買意欲を高められる。
【００１７】
請求項４記載の発明による照明具は、反射光がシェードの前面部の全体に届くように反射板の角度を設定したことで、シェードの前面部を上から下まで全体的に明るく照らすことができ、特に前面部にサインシートを設置した場合にサインシートがむらなく発光し、買い物客に商品を強くアピールできる。
【００１８】
請求項５記載の発明による照明具は、シェードの前面部の後方に天板部を設け、ＬＥＤ照明体をその天板部の裏側に配置することで、ＬＥＤ照明体の設置が容易に行えると共に、ＬＥＤ照明体の光を前方及び棚下の商品の照明に効率よく利用できる。ＬＥＤ照明体は、シェードの天板部の裏面に両面テープ等により接着取付けすることも可能で、ＬＥＤ照明体をシェードの天板部に取付けた状態で照明具を棚に取付けできるため、施工性を向上できると共に、一枚ものの棚板だけでなく、幅方向に複数に分割されたケース状の棚にも容易に対応できる。
【００１９】
請求項６記載の発明による照明具は、シェードに棚の前縁部に取付く取付部を有しているので、取付部を利用して照明具を棚の前縁部に簡単に取付けできる。
【００２０】
請求項７記載の発明による商品陳列棚は、棚の前縁部に請求項１〜６の何れかに記載の照明具を設置したことにより、ＬＥＤ照明体を使用しながら前方と棚下の商品の両方を効率よく照らすことができ、これによりランニングコストを低く抑えつつ購買意欲を高めることができる。
【図面の簡単な説明】
【００２１】
【図１】図２の商品陳列棚の棚の前部を拡大して示す側面図である。
【図２】本発明の商品陳列棚の第１実施形態を示す斜視図である。
【図３】本発明の商品陳列棚の第２実施形態を示す斜視図である。
【図４】図３の商品陳列棚の棚の前部を拡大して示す側面図である。
【図５】本発明の照明具の他の実施形態を示す側面図である。
【図６】反射板の角度の悪い例を示す照明具の側面図である。
【図７】本発明の照明具のさらに別の実施形態を示す縦断面図である。
【図８】図７の照明具の分解斜視図である。
【図９】本発明の照明具の取付け方の他の例を示す縦断面図である。
【図１０】図９の照明具の分解斜視図である。
【図１１】図９の照明具の取付手順を順に示す縦断面図である。
【発明を実施するための形態】
【００２２】
図２は、本発明の商品陳列棚の第１実施形態を示しており、図１はその商品陳列棚の棚の前部を拡大して示している。この商品陳列棚は、ドラッグストア等において化粧品を展示・販売するために用いられるものであり、図２に示すように、基台１２に背板１３を垂直に立設して棚本体１１が構成され、背板１３の左右両側に配置された支柱１４，１４に棚支持ブラケット１５，１５が高さ調整可能に取付けられ、左右の棚支持ブラケット１５，１５上にガラス製の棚板４を載置して棚が複数段構成されている。棚板４の前縁部には、カードレールとしての機能を有するシェード２にＬＥＤ照明体３を組み込んだ照明具１を設置してある。背板１３の上部には、広告灯１６が設置してある。
【００２３】
シェード２は、図１に示すように、透明なプラスチック板で下方及び後方が開放する形に一体的に形成され、後部に棚板４への取付部５が水平な板状に形成され、この取付部５を棚板４と棚支持ブラケット１５の間に挟むことで取付けられている。
シェード２は、取付部５の前縁より垂直壁１７が連続して設けられ、垂直壁１７の上縁から前方に水平に張り出して天板部１０が設けてあり、天板部１０の裏面にＬＥＤ照明体３が両面テープ１８で取付けてある。ＬＥＤ照明体３は、非特許文献１に示すようなＬＥＤ棚下照明を利用したもので、シェード２と略同じ長さの棒状となっており、下面側にＬＥＤ素子１９が長手方向に並べて多数設置されている。ＬＥＤ照明体３は、図１中の点線２０，２０の間の範囲で光を照射し、その範囲の角度は１１５°である。
またシェード２は、天板部１０の前縁より連続して前面部６が斜め下方に傾斜して張り出すように設けてあり、前面部６の裏面側にサインシート保持板３３が１ｍｍ程度の隙間２１を空けて平行に配置してあり、当該隙間２１に棚板４に陳列する商品の特徴や商品名等が表示されたサインシート２２を保持できるようになっている。前面部６の傾斜角度αは５６°、傾斜面に沿う長さＬ１は５０ｍｍとなっている。サインシート２２は、透光性を有する樹脂シートで形成されている。
シェード２の下部には、前面部６の下端より連続して後方に斜め下向きに屈曲形成した底板３４を有し、底板３４の上面全体にミラーシート３５を貼り付けて反射板７としている。前面部６と反射板７との間の角度βは７５°に設定され、反射板７の長さＬ２は２３ｍｍとなっている。反射板７をこのような角度に設定したことにより、反射板７で反射した反射光９ａ，９ｂ，９ｃがサインシート２２を上から下までまんべんなく照らすことができる。ちなみに、反射板７の角度βを７５°よりも大きくした場合には、図６（ａ）に示すように、反射光９ａ，９ｂが後ろ向きに照射されてサインシート２２に届かず、反射板７の角度βを７５°よりも小さくした場合には、図６（ｂ）に示すように、反射光９ａがサインシート２２の上部にまで届かなくなり、いずれの場合もサインシート２２は下の方しか照らされない。
図１に示すように、反射板７の先端７ａは、ＬＥＤ照明体３の真下の位置よりも前方に位置しており、ＬＥＤ照明体３から真下に照射される光８を遮らないようにしている。
【００２４】
本照明具１は、シェード２内にＬＥＤ照明体３が組み込まれており、取付部５を棚板４と棚支持ブラケット１５の間に挟むだけで、容易に設置することができる。
本商品陳列棚は、図２に示すように、レールコンセント２３が支柱１４に沿わせて設けられ、レールコンセント２３にＡＣアダプタ２４を差込み、ＡＣアダプタ２４に接続した分岐ケーブル２５ａ，２５ｂを、各ＬＥＤ照明体３からのびるケーブル２６にコネクタ２７を介して接続することで、配線作業も簡単に行うことができる。
【００２５】
以上に述べたように本照明具１は、照明体として蛍光灯ではなくＬＥＤ照明体３を使用しており、ＬＥＤ照明体３は消費電力が蛍光灯の約半分で、寿命が蛍光灯の約９倍であることから、ランニングコストを大幅に削減できる。しかも本照明具１は、サインシート２２が取付けられる前面部６の下方に反射板７を設けたことにより、ＬＥＤ照明体３の光８が下方の棚（基台を含む）に陳列した商品２８を照らすだけでなく、反射板７で反射した反射光９ａ，９ｂ，９ｃが前面部６を裏側から照らし、サインシート２２も明るく照らされるため、買い物客に商品２８を強くアピールし、販売効果を高めることができる。さらに反射板７は、ＬＥＤ照明体３から真下に照射される光８を遮らず、且つ反射光９ａ，９ｂ，９ｃが前面部６の上部にまで届くように長さと角度を設定したので、下方の棚の商品２８をよく照らすことができると共に、反射光９ａ，９ｂ，９ｃでサインシート２２を上から下まで全体的に明るく照らすことができる。また本照明具１は、シェード２にＬＥＤ照明体３を組み込んだことで、棚（棚板４）への設置が極めて容易に行えると共に、棚に熱が伝わるのを抑えることができる。
さらにシェード２は、反射板７が前面部６の下端より連続して後方に屈曲形成されているため、反射板７を別途取付ける手間が要らず、また正面から見て反射板７が目立たない。
【００２６】
図３は、本発明に係る商品陳列棚の第２実施形態を示しており、図４はこのときの照明具１を示している。本商品陳列棚は、棚の形態が第１実施形態のものと異なっており、背板１３の幅を４等分した幅を有し、上面が開放したプラスチック製のケース２９を、背板１３に形成した横長のスリット３０に背面の爪３１を引っ掛けることで、高さ調整可能且つ着脱自在に取付けるようにしたものである。ケース２９の前面には、図４に示すように、カードレールとしての機能を有するシェード２の差込部３２が形成されており、シェード２には取付部５が天板部１０の後縁に連続して鉛直下向きに形成され、取付部５をケース２９の差込部３２に上方から差し込むことで、照明具１をケース２９に取付けるようにしている。照明具１は、取付部５の形態以外は第１実施形態のものと同様に構成され、照明具１の横幅はケース２９の横幅とほぼ同じにしてあり、図３に示すように、ケーブル２６をコネクタ１７で順次連結することで直列的に複数連結できる。
【００２７】
図５は、本発明の照明具１の他の実施形態を示している。シェード２は、天板部１０と前面部６とが連続した円弧状に一体的に形成してあり、前面部６の下方に反射板７が後方に屈曲する形で一体的に設けてある。ＬＥＤ照明体３は、天板部１０の裏面に下向きに取付けてある。ＬＥＤ照明体３は、鉛直方向に対して僅かに後方に傾けて取付けてもよい。
【００２８】
図７，８は、本発明の照明具１のさらに別の実施形態を示している。本照明具１は、図７に示すように、棚板４の前縁部の下面側に当接して配置され、棚板４の前縁より照明具１が飛び出さないものとなっている。
シェード２は、透光性を有する乳白色の樹脂で一体に押出成形したものを用いており、水平な天板部１０の前端部より連続して前面部６が鉛直に垂下して設けられ、前面部６の下端部より連続して底板３４が後方に向けて水平に設けてあり、全体の形状としては下方及び後方が開放する略矩形状となっている。天板部１０の下面の後側の位置には、断面Ｌ形に折り曲げた固定片３６が設けてあり、天板部１０の後側端部には係止片３７が内側に傾斜して設けてあり、この固定片３６と係止片３７とでＬＥＤ照明体３を前後から挟むように保持している。
底板３４の上面にはミラーシート３５を貼付け、反射板７としてあり、反射板７の先端７ａがＬＥＤ照明体３の真下の位置よりも前方に位置している。ＬＥＤ照明体３から照射された光８は、シェード２の下方を照らすと共に、反射板７で反射した反射光９ａ，９ｂ，９ｃがシェード２の前面部６を裏側から全体的に明るく照らす。
ＬＥＤ照明体３は、図８に示すように、左右両側に取付け用のフレーム３８が突出して形成され、フレーム３８には下側が開口したスリット３９が設けてあり、このスリット３９を棚支持ブラケット１５に上方から引っ掛けて、ＬＥＤ照明体３を左右の棚支持ブラケット１５，１５間に取付けている。その後シェード２を、固定片３６と係止片３７とでＬＥＤ照明体３を挟みながら、ＬＥＤ照明体３の上に被せるようにして取付けている。その後、シェード２の上に棚板４を載置している。
【００２９】
本実施形態によれば、照明具１が棚板４から前方に飛び出さず、棚板４の下面側に取り付けられるため、見た目がすっきりした印象になる。しかも、ＬＥＤ照明体３の光で下方の棚の商品を照らすことができると同時に、反射板７で反射した反射光９ａ，９ｂ，９ｃによりシェード２の前面部６が全体的に発光するため、買い物客の目を棚にひきつけられる。シェード２は、ＬＥＤ照明体３に上から被せるだけで簡単に取り付けできる。シェード２の前面部６の表面や裏面に、棚に陳列する商品の特徴等を表示したサインシートを設置することもできる。
【００３０】
上述の例では、照明具１を左右の棚支持ブラケット１５，１５の間に取付けていたが、図９〜１１は、照明具１を左右の棚支持ブラケット１５，１５の左右両側にオーバーハングして取付ける場合を示している。シェード２の形態は上述のものとほぼ同様である。
この場合には、左右の棚支持ブラケット１５の先端部にＬＥＤ照明体３の取付部材４０をそれぞれ取付けており、取付部材４０は下側が開放した略コ字形断面の取付溝部４１を有しており、図１１（ａ）に示すように、その取付溝部４１にＬＥＤ照明体３を下方より嵌め込んで取付けている。シェード２は、図１０に示すように、取付部材４０を避けるように切り欠き４２が左右２箇所に設けてあり、図１１（ｂ）に示すように、ＬＥＤ照明体３に上方から被せるようにして取付けている。その後、棚板４を棚支持ブラケット１５及び照明具１の上に載置している。
【００３１】
本発明は以上に述べた実施形態に限定されない。シェードは、反射板が別体で形成されたもの、天板部を有しないものであってもよい。またシェードは、押出成形により一体で形成することもできる。サインシート保持部の形態は任意であり、サインシートの上下縁を係止して保持し、前方から透明カバーを取付けるような構造や、単に一枚の透明な板で形成しその裏面にサインシートを両面テープ等で接着するようにしたものでもよい。サインシート保持部には、棚に陳列する商品の商品名や価格を表示したカードを保持させることもできる。ＬＥＤ照明体は、シェードの内面に取付けるのではなく、アングル状の金具等を使用して棚の前面に取付けることもできる。
【符号の説明】
【００３２】
１  照明具
２  シェード
３  ＬＥＤ照明体
４  棚板（棚）
５  取付部
６  前面部
７  反射板
８  ＬＥＤ照明体の光
９ａ，９ｂ，９ｃ  反射光
１０  天板部
１１  棚本体
２２  サインシート
２９  ケース（棚）
３３  サインシート保持板（サインシート保持部）
【図１】
2010264226.tif 000003
【図２】
2010264226.tif 000004
【図３】
2010264226.tif 000005
【図４】
2010264226.tif 000006
【図５】
2010264226.tif 000007
【図６】
2010264226.tif 000008
【図７】
2010264226.tif 000009
【図８】
2010264226.tif 000010
【図９】
2010264226.tif 000011
【図１０】
2010264226.tif 000012
【図１１】
2010264226.tif 000013